(57)【要約】【課題】  多数の情報をより少ない発光素子によって表示させて、太陽光発電装置を小型化する。【解決手段】  太陽光発電装置は、太陽電池パネルと、太陽電池パネルの機能に関する複数の情報を検出する検出回路と、検出回路が検出した複数の情報を表示する表示部１６と、表示部１６を制御する表示制御回路とを備えている。表示部１６は、それぞれが独立して、態様が変化する複数の発光素子（７，８ａ，８ｂ，１１，１２）を含んでいる。表示制御回路は、複数の発光素子のうち２以上の発光素子の態様の組み合わせによって、複数の情報のうちいずれか１の情報を、表示部１６に表示させることが可能である。【選択図】        図４
2006024636.tif 000002
【特許請求の範囲】
【請求項１】
太陽電池パネルと、
前記太陽電池パネルの機能に関する複数の情報を検出する検出回路と、
前記検出回路が検出した複数の情報を表示する表示部と、
前記表示部を制御する表示駆動回路とを備え、
前記表示部は、それぞれの態様が独立して変化可能な複数の発光素子を含み、
前記表示駆動回路は、前記複数の発光素子のうち２以上の発光素子の態様の組み合わせによって、前記複数の情報のうちの少なくともいずれか１の情報を、前記表示部に表示させることが可能である、太陽光発電装置。
【請求項２】
前記太陽電池パネルの機能に関する情報には、前記太陽電池パネルが充電している電力の充電量の情報、前記太陽電池パネルによって発電され蓄電池に蓄積された電力の残量の情報、および、前記蓄電池から出力される電力の異常の情報が含まれる、請求項１に記載の太陽光発電装置。
【請求項３】
前記発光素子の態様には、点灯態様、点滅態様、および消灯態様が含まれ、
前記点滅態様には、速度が異なる複数種類の点滅が含まれ、
前記複数種類の点滅のそれぞれの速度に応じて、前記情報によって特定される状態の段階を表示する、請求項１に記載の太陽光発電装置。
【発明の詳細な説明】
【技術分野】
【０００１】
本発明は、小型の太陽光発電装置に関するものである。
【背景技術】
【０００２】
従来、住宅の屋根などに設置される住宅用太陽光発電装置は、太陽電池パネルと、太陽電池パネルに充電されている電力の充電量および蓄電池の電力の残量を検出する検出回路と、検出回路が出力する信号の種類に応じて充電量および電力の残量を表示する表示部とを備えている。従来の住宅用太陽光発電装置は、表示部において充電量および電力の残量が数値によって表示されている。
【特許文献１】特開平１１−３３０５２１号公報
【発明の開示】
【発明が解決しようとする課題】
【０００３】
しかしながら、小型の携帯用太陽光発電装置においては、内部回路および表示部の小型化および簡素化を図る必要がある。そのため、従来の住宅用太陽光発電装置のように、大きな表示部および内部回路を設けることができない。
【０００４】
その結果、小型の携帯用太陽光発電装置では、太陽電池パネルの充電状態を把握することができない。そのため、太陽電池を最適な方向に向けて充電することができない。したがって、効率良く充電できない。また、蓄電池の残量が分からないため、機器を使用する場合にその使用可能時間を把握することができない。さらに、従来の住宅用太陽光発電装置においては、その各部において発生している異常を把握することができない。
【０００５】
一方、前述のような充電量、電力の残量、および異常情報を表示する大きな表示部および内部回路を設けると、太陽光発電装置を小型化することができない。
【０００６】
本発明は、上述の問題に鑑みてなされたものであり、その目的は、多数の情報を表示することができる小型の太陽光発電装置を提供することである。
【課題を解決するための手段】
【０００７】
本発明の太陽光発電装置は、太陽電池パネルと、太陽電池パネルの機能に関する複数の情報を検出する検出回路と、検出回路が検出した複数の情報を表示する表示部と、表示部を制御する表示駆動回路とを備え、表示部は、それぞれの態様が独立して変化可能な複数の発光素子を含み、表示駆動回路は、複数の発光素子のうち２以上の発光素子の態様の組み合わせによって、複数の情報のうちの少なくともいずれか１の情報を、表示部に表示させることが可能である。
【０００８】
上記の構成によれば、多数の情報をより少ない発光素子によって表示させることができる。その結果、太陽光発電装置を小型化することができる。
【０００９】
前述の太陽電池パネルの機能に関する情報には、太陽電池パネルが充電している電力の充電量の情報、太陽電池パネルによって発電され蓄電池に蓄積された電力の残量の情報、および、蓄電池から出力される電力の異常の情報が含まれる。
【００１０】
前述の発光素子の態様には、点灯態様、点滅態様、および消灯態様が含まれ、点滅態様には、速度が異なる複数種類の点滅が含まれ、複数種類の点滅のそれぞれの速度に応じて、情報によって特定される状態の段階を表示することが望ましい。これによっても、数少ない発光素子で多数の情報を表示することができる。
【発明を実施するための最良の形態】
【００１１】
以下、図１〜図４を用いて、本発明の実施の形態の太陽光発電装置を説明する。
【００１２】
本実施の形態の太陽光発電装置１５は、図１〜図４に示すように、受光面１ａに太陽光を受けて発電する発電部として機能する太陽電池パネル１と、太陽電池パネル１が発電する電力が充電される蓄電池３と、太陽電池パネル１から蓄電池３へ効率的に電力が送られるように制御する充電制御部２とを備えている。また、太陽光発電装置１５は、蓄電池３から出力される直流電力を交流電力に変換するインバータ１０と、太陽電池パネル１から蓄電池３へ送られる電力の充電量を検出する充電量検出回路５とを備えている。
【００１３】
また、太陽光発電装置１５は、蓄電池３に残存する電力の残存量を検出する残量検出回路６と、充電量検出回路５および残量検出回路６のそれぞれから送信される検出信号を受信する表示駆動回路９とを備えている。また、太陽光発電装置１５は、インバータ１０からＡＣ１００Ｖ負荷へ出力される電力の異常を検出するとともに、蓄電池３からＤＣ負荷１２Ｖへ出力される電力の異常を検出する負荷異常検出回路２０を備えている。
【００１４】
また、太陽光発電装置１５は、表示駆動回路９によって制御される表示部であって、１個の発光素子（充電ＬＥＤ（Light Emit Diode））７ａからなり、蓄電池３に充電されている電力の充電量を表示する充電量表示部７と、２個の発光素子（満ＬＥＤおよび空ＬＥＤ）８ａおよび８ｂからなり、蓄電池３に残存している電力の残存量を表示する残量表示部８とを備えている。
【００１５】
充電量表示部７および残量表示部８は、表示部１６内に設けられている。表示部１６は、図２に示すように、太陽光発電装置１５を携帯するときに使用する取っ手部となる部分であって、太陽光発電装置１５の受光面１ａが向く方向を変化させることが可能な角度可変用スタンド４が設けられている。また、角度可変用スタンド４は、太陽電池パネル１の受光面１ａとは反対側の面に設けられている。
【００１６】
また、表示部１６には、１個の発光素子からなり、直流電力をＤＣ１００Ｖ負荷に供給しているときに点灯し、その直流電力に異常が発生したときに点滅するＤＣ（Direct Currency）１２Ｖ表示部１２、１個の発光素子からなり、交流電力をＡＣ（Alternative Currency）１００Ｖ負荷に供給しているときに点灯し、その交流電力に異常が発生したときに点滅するＡＣ１００Ｖ表示部１１、ＡＣ電力を出力するか否かを決定するＡＣ出力スイッチ１３、およびＤＣ電力を出力するか否かを決定するＤＣスイッチ１４が設けられている。
【００１７】
ＤＣスイッチ１４がＯＮであり、ＡＣ出力スイッチ１３がＯＦＦであるときは、直流電力がＤＣ負荷へ供給される。また、ＡＣ出力スイッチ１３がＯＮであり、ＤＣスイッチ１４がＯＦＦであるときは、交流電力がＡＣ負荷へ供給される。
【００１８】
また、表示駆動回路９は、残量検出回路６から送信されてくる検出信号に基づいて、残量表示部８の発光の態様、すなわち、点灯、点滅、および消灯等のＬＥＤの発光態様を制御する。それにより、表１に示すように、蓄電池３に蓄積されている電力の残存量が残量表示部８に表示される。
【００１９】
ＤＣスイッチ１４がＯＮであり、かつ、ＡＣ出力スイッチ１３がＯＮであるときは、直流電力がＤＣ負荷へ供給されるとともに、交流電力がＡＣ負荷へ供給される。
【００２０】
【表１】
2006024636.tif 000003
【００２１】
表１に示すように、表示駆動回路９は、蓄電池３が満充電となっており、充電が停止されている場合には、残量表示部８内において、満ＬＥＤ８ａを点灯させるとともに、空ＬＥＤ８ｂを消灯させる。また、表示駆動回路９は、蓄電池３が放電可能状態であり、蓄電池３の電圧範囲が１２．４Ｖ以上である場合には、残量表示部８内において、満ＬＥＤ８ａを点滅させるとともに、空ＬＥＤ８ｂを消灯させる。また、表示駆動回路９は、蓄電池３が放電可能状態であり、蓄電池３の電圧範囲が１１．５Ｖ以上１２．４未満である場合には、残量表示部８内において、満ＬＥＤ８ａを消灯させるとともに、空ＬＥＤ８ｂを点滅させる。また、表示駆動回路９は、蓄電池３が充電可能状態であり、蓄電池３の電圧範囲が１１．５未満である場合、または、過放電防止状態で放電できない場合には、残量表示部８内において、満ＬＥＤ８ａを消灯させるとともに、空ＬＥＤ８ｂを点灯させる。
【００２２】
また、表示駆動回路９は、充電量検出回路５から送信されてくる検出信号に基づいて、充電量表示部７の発光の態様、すなわち、点灯、点滅、および消灯等のＬＥＤの態様を制御する。それにより、表２に示すように、太陽電池パネル１が充電している電力の充電量が充電量表示部７に表示される。
【００２３】
【表２】
2006024636.tif 000004
【００２４】
表２に示すように、表示駆動回路９は、充電量に相当する電流範囲が２．４Ａを超える場合には、太陽電池パネル１から蓄電池３へ充電される電力の充電量が「大」であるものとして、充電量表示部７の充電ＬＥＤ７ａを点灯させる。また、表示駆動回路９は、充電量に相当する電流範囲が１．２Ａ以上２．４Ａ未満である場合には、太陽電池パネル１から蓄電池３へ充電される電力の充電量が「中」であるものとして、充電量表示部７の充電ＬＥＤ７ａを早い速度で点滅させる。また、表示駆動回路９は、充電量に相当する電流範囲が０．４Ａ以上１．２Ａ未満である場合には、太陽電池パネル１から蓄電池３へ充電される電力の充電量が「小」であるものとして、充電量表示部７の充電ＬＥＤ７ａを遅い速度で点滅させる。また、表示駆動回路９は、充電量に相当する電流範囲が０．４Ａ未満である場合には、太陽電池パネル１から蓄電池３へ充電される電力の充電量が「無」であるものとして、充電量表示部７の充電ＬＥＤ７ａを消灯させる。
【００２５】
また、充電量検出回路５および残量検出回路６のそれぞれから太陽電池パネル１の充電に関する異常および蓄電池３の蓄電に関する異常のそれぞれを示す異常信号を受けて、異常の内容に応じて複数のＬＥＤのうちのいずれか１または複数のＬＥＤを点滅させて、表３に示すように、いかなる異常が発生しているのかを表示部１６全体で表示する。
【００２６】
【表３】
2006024636.tif 000005
【００２７】
表示駆動回路９は、太陽電池パネル１に異常電圧が発生している場合には、ＤＣ１２Ｖ表示部１２および空ＬＥＤ８ｂを点滅させる。また、表示駆動回路９は、蓄電池３に異常電圧が発生している場合には、ＤＣ１２Ｖ表示部１２および満ＬＥＤ８ａを点滅させる。また、表示駆動回路９は、ＤＣ負荷へ出力される直流電力に異常電圧が発生している場合には、ＤＣ１２Ｖ表示部１２のみを点滅させる。また、表示駆動回路９はＡＣ負荷へ出力される交流電力に異常電圧が発生している場合には、ＡＣ１００Ｖ表示部１２を点滅させる。また、表示駆動回路９は、ＡＣ負荷の短絡検出において異常が発生している場合には、ＡＣ１００Ｖ表示部１２および充電量表示部７の充電ＬＥＤ７ａを点滅させる。
【００２８】
また、太陽光発電装置１５の太陽電池パネル１を除く他の各機器は、太陽電池パネル１の受光面１ａとは反対側に設けられている。そのため、太陽光発電装置１５が使用されている状態においても、各機器の温度上昇が抑制されているとともに、充電量表示部７および残量表示部８が見え易くなっている。
【００２９】
上記のように、実施の形態の太陽光発電装置１５は、発電量のレベル表示機能と蓄電池３の残量のレベル表示機能とを簡単な構成の表示部を用いて、効率良く表示することができる。そのため、太陽電池パネル１による充電量を一目で目視することができる。その結果、太陽電池パネル１の受光面１ａを最適な方向に向けて充電することができる。また、残量表示部８によって、蓄電池３の残存容量も一目で目視することができる。
【００３０】
また、内部回路に異常が発生した時には、複数の表示部の点灯態様、消灯態様および点滅態様の組み合わせ表示によって、複数の回路のうちいずれの回路に異常が発生しているのかを表示することができる。
【００３１】
つまり、上記のような本実施の形態の太陽光発電装置１５によれば、複数の発光素子（７，８ａ，８ｂ，１１，および１２）のうち２以上の発光素子の態様の組み合わせ（表１〜３参照）によって、複数の情報（表１〜３参照）のうちいずれか１の情報を、表示部１６に表示させる。そのため、多数の情報をより少ない発光素子（７，８ａ，８ｂ，１１，および１２）によって表示させることができる。その結果、太陽光発電装置１５を小型化することができる。
【００３２】
また、発光素子（７，８ａ，８ｂ，１１，および１２）の複数種類の点滅のそれぞれの速度に応じて、表示部１６に異なる情報（表２参照）を表示することができるため、数少ない発光素子（７，８ａ，８ｂ，１１，および１２）で多数の情報を表示することができる。
【００３３】
なお、今回開示された実施の形態はすべての点で例示であって制限的なものではないと考えられるべきである。本発明の範囲は上記した説明ではなく特許請求の範囲によって示され、特許請求の範囲と均等の意味および範囲内でのすべての変更が含まれることが意図される。
【図面の簡単な説明】
【００３４】
【図１】実施の形態の太陽光発電装置の使用時の斜視図である。
【図２】実施の形態の太陽光発電装置の裏面の表示部を示す図である。
【図３】実施の形態の太陽光発電装置のシステム構成を示すブロック図である。
【図４】実施の形態の太陽光発電装置の表示部を示す図である。
【符号の説明】
【００３５】
１  太陽電池パネル、２  充電制御装置、３  蓄電池、４  角度可変用スタンド、５  充電量検出回路、６  残量検出回路、７  充電量表示部、７ａ，７ｂ  発光素子、８  残量表示部、８ａ  発光素子、９  表示駆動回路、１０  インバータ、１１  ＡＣ１００Ｖ表示部、１２  ＤＣ１２Ｖ表示部、１３  ＡＣ出力スイッチ、１４  ＤＣスイッチ、１５  太陽光電源装置、１６  表示部。
【図１】
2006024636.tif 000006
【図２】
2006024636.tif 000007
【図３】
2006024636.tif 000008
【図４】
2006024636.tif 000009